(57)【要約】【課題】  簡単な処理で、接続相手が異なった場合に、接続相手の画像音声視聴装置毎に優先順位をつけたファイルリストを表示出力し、再生時のファイル選択を容易にする。【解決手段】  本発明の画像音声記録再生装置は、画像信号処理を施した画像情報及び音声信号処理を施した音声情報を外部の画像音声視聴装置３６に表示するために通信手段５２により画像音声視聴装置との間で通信をする。マイクロコンピュータ２５は、画像音声視聴装置の個体識別情報を取得し、画像情報及び音声情報のファイルの再生履歴を、個体識別情報毎に記憶し、通信手段５２により再度接続して画像音声視聴装置で視聴する際に、再生履歴から得られる再生に関する情報に基づいて、再生履歴におけるファイルに優先順位を設定し、優先順位が設定されたファイルのリストを表示可能に出力する。【選択図】        図１
2007060017.tif 000002
【特許請求の範囲】
【請求項１】
撮像手段により撮像した画像情報に対して画像信号処理手段により画像信号処理を施して、上記画像信号処理を施した画像情報を表示手段に表示すると共に、音声収録手段により収録した音声情報に対して音声信号処理手段により音声信号処理を施して、上記音声信号処理を施した音声情報を音声出力手段に音声出力して記録手段により記録媒体に記録する画像音声記録再生装置において、
上記画像信号処理を施した画像情報及び上記音声信号処理を施した音声情報を外部の画像音声視聴装置に表示するために上記画像音声視聴装置との間で通信をする通信手段と、
上記画像音声視聴装置の個体識別情報を取得する取得手段と、
上記取得手段により取得した上記画像音声視聴装置で視聴した画像情報及び音声情報のファイルの再生履歴を、上記通信手段により接続した上記画像音声視聴装置の個体識別情報毎に記憶する記憶手段と、
上記通信手段により再度接続して上記画像音声視聴装置で視聴する際に、上記再生履歴から得られる再生に関する情報に基づいて、上記再生履歴におけるファイルに優先順位を設定する優先順位設定手段と、
上記優先順位設定手段により優先順位が設定されたファイルのリストを表示可能に出力するリスト出力手段と、
を備えたことを特徴とする画像音声記録再生装置。
【請求項２】
上記優先順位設定手段は、上記再生履歴における再生日時の新しい順に優先順位を設定するようにしたことを特徴とする請求項１に記載の画像音声記録再生装置。
【請求項３】
上記優先順位設定手段は、上記再生履歴における再生回数の多い順に優先順位を設定するようにしたことを特徴とする請求項１に記載の画像音声記録再生装置。
【請求項４】
上記優先順位設定手段は、上記再生履歴における一定期間内での再生頻度の高い順に優先順位を設定するようにしたことを特徴とする請求項１に記載の画像音声記録再生装置。
【請求項５】
上記優先順位設定手段は、上記再生履歴における再生時間の累計が多い順に優先順位を設定するようにしたことを特徴とする請求項１に記載の画像音声記録再生装置。
【請求項６】
上記リスト出力手段は、表示手段又は上記画像音声視聴装置に表示出力することを特徴とする請求項１に記載の画像音声記録再生装置。
【請求項７】
撮像した画像情報に対して画像信号処理を施して、上記画像信号処理を施した画像情報を表示すると共に、収録した音声情報に対して音声信号処理を施して、上記音声信号処理を施した音声情報を音声出力して記録媒体に記録する画像音声記録再生方法において、
上記画像信号処理を施した画像情報及び上記音声信号処理を施した音声情報を外部の画像音声視聴装置に表示及び音声出力するために上記画像音声視聴装置との間で通信をする通信ステップと、
上記画像音声視聴装置の個体識別情報を取得する取得ステップと、
上記取得した上記画像音声視聴装置で視聴した画像情報及び音声情報のファイルの再生履歴を、上記通信により接続した上記画像音声視聴装置の個体識別情報毎に記憶する記憶ステップと、
上記通信により再度接続して上記画像音声視聴装置で視聴する際に、上記再生履歴から得られる再生に関する情報に基づいて、上記再生履歴におけるファイルに優先順位を設定する優先順位設定ステップと、
上記優先順位設定ステップにより優先順位が設定されたファイルのリストを表示可能に出力するリスト出力ステップと、
を含むことを特徴とする画像音声記録再生方法。
【請求項８】
撮像手段により撮像した画像情報に対して画像信号処理手段により画像信号処理を施して、上記画像信号処理を施した画像情報を表示手段に表示すると共に、音声収録手段により収録した音声情報に対して音声信号処理手段により音声信号処理を施して、上記音声信号処理を施した音声情報を音声出力手段に音声出力して記録手段により記録媒体に記録する画像音声記録再生装置と、上記画像音声記録再生装置と接続されて上記画像信号処理を施した画像情報を表示及び上記音声信号処理を施した音声情報を音声出力する外部の画像音声視聴装置と、を有する画像音声記録再生システムにおいて、
上記画像音声記録再生装置は、
上記画像信号処理を施した画像情報及び上記音声信号処理を施した音声情報を外部の画像音声視聴装置に表示するために上記画像音声視聴装置との間で通信をする通信手段と、
上記画像音声視聴装置の個体識別情報を取得する取得手段と、
上記取得手段により取得した上記画像音声視聴装置で視聴した画像情報及び音声情報のファイルの再生履歴を、上記通信手段により接続した上記画像音声視聴装置の個体識別情報毎に記憶する記憶手段と、
上記通信手段により再度接続して上記画像音声視聴装置で視聴する際に、上記再生履歴から得られる再生に関する情報に基づいて、上記再生履歴におけるファイルに優先順位を設定する優先順位設定手段と、
上記優先順位設定手段により優先順位が設定されたファイルのリストを表示可能に出力するリスト出力手段と、
を備え、
上記外部の画像音声視聴装置は、
上記画像音声記録再生装置の個体識別情報を記憶する記憶手段を備えた
ことを特徴とする画像音声記録再生システム。
【発明の詳細な説明】
【技術分野】
【０００１】
本発明は、例えば、テレビモニタに接続可能なカメラ一体型記録再生装置などに適用される画像音声記録再生装置、画像音声記録再生方法及び画像音声記録再生システムに関する。
【背景技術】
【０００２】
大容量化が進む記録メディアを有するカメラ一体型記録再生装置、デジタルカメラ等において撮影した画像や音声を再生する際に大量のコンテンツの中から視聴したい画像や音声をどのように選択するか、その選択手段はますます重要度を増している。この選択手段についての技術は様々なものが公開されている。
【０００３】
この中で最も基本的な選択手段としてはコンテンツのサムネイル画像をマルチ画面で表示して、あるいは画面をスクロールしてコンテンツのファイルを検索して、選択するというものが知られている。また、コンテンツの所属グループ、属性を設定することにより検索数を絞り込む電子アルバム装置が公開されている（特許文献１参照）。
【０００４】
また、撮影時の撮影条件や画像ファイルに対して行われた操作の履歴情報に基づいて所望の画像を抽出する画像検索システムが登録されている（特許文献２、特許文献３参照）。また、ユーザーの関心の高さに応じて関心度を数値として原コンテンツに関連付けて記録し、分類、整理の効率を上げる情報処理装置が登録されている（特許文献４参照）。
【特許文献１】特開平１１−２７２８４０号公報
【特許文献２】特許第３３６０５９５号公報
【特許文献３】特許第３３６０５９６号公報
【特許文献４】特許第３６２９０４７号公報
【発明の開示】
【発明が解決しようとする課題】
【０００５】
しかし、従来のコンテンツのサムネイル画像をマルチ画面で表示し、また画面をスクロールしてコンテンツを検索して、コンテンツのファイルを選択する手法は、コンテンツの数が非常に多くなってくると多数のコンテンツの画面をすべて表示させるため、ユーザーの表示操作の手間が増加してくるという不都合が生じていた。
また、特許文献１に記載の電子アルバム装置は、ユーザーによるグループ設定が必要であり、複数のユーザーがある場合はそれぞれに設定を行う必要があるため、その操作が煩雑になるという不都合が生じていた。
【０００６】
また、特許文献２、特許文献３に記載の画像検索システムは、接続された画像音声視聴装置で画像を見る人のコンテンツに対しての嗜好を必ずしも反映するものではないため、コンテンツの選択性が低下するという不都合があった。
また、特許文献４に記載の情報処理装置は、関心度をユーザーが評価値として入力する操作が必要であり、複数のユーザーは各々による評価値入力が必要となるため、その操作が煩雑になるという不都合があった。
【０００７】
このため、持ち運びが容易なカメラ一体型記録再生装置、デジタルカメラ等の撮像機器で使用者が撮影してきた画像、音声を再生し、視聴する際に、接続するテレビ、ディスプレイ、プロジェクター等の画像音声視聴装置の情報を利用して、視聴する人の嗜好や場所的に適したコンテンツの選択を考慮したファイル選択を特別な手間を必要とせずに容易化し、支援することが要求されていた。
【０００８】
そこで、これらの状況を鑑み、本発明では、簡単な処理で、接続相手が異なった場合に、接続相手の画像音声視聴装置毎に優先順位をつけたファイルリストを表示出力することで、再生時のファイル選択を容易にして操作性を向上することができる画像音声記録再生装置、画像音声記録再生方法及び画像音声記録再生システムを提供することを目的とする。
【課題を解決するための手段】
【０００９】
上記課題を解決し、本発明の目的を達成するため、本発明の画像音声記録再生装置は、画像信号処理を施した画像情報及び音声信号処理を施した音声情報を外部の画像音声視聴装置に表示するために画像音声視聴装置との間で通信をする通信手段と、画像音声視聴装置の個体識別情報を取得する取得手段と、取得手段により取得した画像音声視聴装置で視聴した画像情報及び音声情報のファイルの再生履歴を、通信手段により接続した画像音声視聴装置の個体識別情報毎に記憶する記憶手段と、通信手段により再度接続して画像音声視聴装置で視聴する際に、再生履歴から得られる再生に関する情報に基づいて、再生履歴におけるファイルに優先順位を設定する優先順位設定手段と、優先順位設定手段により優先順位が設定されたファイルのリストを表示可能に出力するリスト出力手段と、を備えたものである。
【００１０】
また、本発明の画像音声記録再生方法は、画像信号処理を施した画像情報及び音声信号処理を施した音声情報を外部の画像音声視聴装置に表示及び音声出力するために画像音声視聴装置との間で通信をする通信ステップと、画像音声視聴装置の個体識別情報を取得する取得ステップと、取得ステップにより取得した画像音声視聴装置で視聴した画像情報及び音声情報のファイルの再生履歴を、通信ステップによりにより接続した画像音声視聴装置の個体識別情報毎に記憶する記憶ステップと、通信により再度接続して画像音声視聴装置で視聴する際に、再生履歴から得られる再生に関する情報に基づいて、再生履歴におけるファイルに優先順位を設定する優先順位設定ステップと、優先順位設定ステップにより優先順位が設定されたファイルのリストを表示可能に出力するリスト出力ステップと、を含むものである。
【００１１】
また、本発明の画像音声記録再生システムは、画像音声記録再生装置は、画像信号処理を施した画像情報及び音声信号処理を施した音声情報を外部の画像音声視聴装置に表示するために画像音声視聴装置との間で通信をする通信手段と、画像音声視聴装置の個体識別情報を取得する取得手段と、取得手段により取得した画像音声視聴装置で視聴した画像情報及び音声情報のファイルの再生履歴を、通信手段により接続した画像音声視聴装置の個体識別情報毎に記憶する記憶手段と、通信手段により再度接続して画像音声視聴装置で視聴する際に、再生履歴から得られる再生に関する情報に基づいて、再生履歴におけるファイルに優先順位を設定する優先順位設定手段と、優先順位設定手段により優先順位が設定されたファイルのリストを表示可能に出力するリスト出力手段と、を備え、外部の画像音声視聴装置は、画像音声記録再生装置の個体識別情報を記憶する記憶手段を備えたものである。
【００１２】
上述した本発明の画像音声記録再生装置、画像音声記録再生方法及び画像音声記録再生システムによれば、例えば、持ち運びが容易で、記録メディアを内蔵あるいは着脱可能なカメラ一体型記録再生装置、デジタルカメラ等の画像音声記録再生装置であって、接続されたテレビ、ディスプレイ、プロジェクター等の画像音声視聴装置の個体識別情報を通信手段によって取得し記憶するようにする。
【００１３】
そして、その接続相手となる画像音声視聴装置にて視聴したファイルや画像/音声信号コンテンツの再生履歴を接続相手毎に記憶しておく。これにより再度画像音声視聴装置を接続して視聴する際に接続相手毎に異なる前回の再生履歴から、その接続相手となる画像表示装置により視聴したファイルや画像/音声信号コンテンツの履歴から頻度、回数、接続時間、等のデータを統計的に計算し、この統計データを基に優先度をつけたコンテンツ選択リストを表示し、使用者がコンテンツ再生時、あるいは複製時に容易にファイル選択が可能となる。
【発明の効果】
【００１４】
本発明によれば、テレビモニタなどの画像音声視聴装置に接続可能なカメラ一体型記録再生装置などに適用される画像音声記録再生装置、画像音声記録再生方法及び画像音声記録再生システムにおいて、持ち運びが容易な撮像機器で使用者が撮影してきた画像、音声を再生して、視聴する際に、接続した画像音声視聴装置の個体識別情報とその画像音声視聴装置に対して出力した画像、音声のコンテンツを関連付けて情報として記憶し、次回以降またその画像音声視聴装置での視聴時に記憶した情報から統計を取って優先度を決定して、再生すべき画像、音声のコンテンツの候補を優先的に並べたリストを表示出力することにより、視聴するユーザーの嗜好と関連付けられたコンテンツに絞りこんで容易にファイル選択が可能となるため、操作性が向上するという効果を奏する。
特に大容量の記録メディアを持つカメラ一体型記録再生装置、デジタルカメラ等でのファイル選択に有効である。
【発明を実施するための最良の形態】
【００１５】
以下、本発明の実施の形態について、適宜、図面を参照しながら説明する。
図１は、本発明の実施の形態例となるシステム構成を示した図である。
図１において、画像音声記録再生装置１は、イメージセンサー６に対して撮像のための光を取り込むズームレンズ３、フォーカスレンズ４及びアイリス５からなるレンズ・光学系２と、ズームレンズ３、フォーカスレンズ４及びアイリス５の各光学系２を駆動する２８，２９及び３０からなる光学系ドライバ・アクチュエータ２７と、イメージセンサー６とそれを駆動するタイミング発生器３１及びドライバー３３とを備えている。
【００１６】
また、画像音声記録再生装置１は、イメージセンサー６からの出力信号をサンプルホールド、黒レベルクランプ、ゲインコントロール等の処理を行うアナログフロントエンド部７と、その出力をデジタル信号に変換するＡ／Ｄコンバータ部８と、画像の明るさ、カラーバランス、周波数特性、階調特性、色相、彩度、画素数等を調整、変換可能として、イメージセンサー６により撮像されたデジタル信号画像を記録、伝送、表示のための信号処理するカメラ信号処理部９とを備えている。
【００１７】
このカメラ信号処理部９はイメージセンサー６側からの信号のみならず後述する記録メディアからの再生信号や外部ストリームからの画像信号も処理が可能な入力部を備えている。
【００１８】
画像音声記録再生装置１は、カメラ信号処理部９からの画像信号や記録メディア４４からの再生信号、外部ストリームインターフェース４６からの入力画像信号を選択するスイッチ１８と、これらの画像信号を保持する画像メモリ１１と、画像メモリ１１に保持した画像信号のノイズを除去するノイズリダクション部１２と、画像メモリ１１に保持した画像信号を必要に応じて画素数変換等処理を行うことによりLCD(liquid crystal display)パネル等の画像表示部１７に表示する画素数変換部１３，１５と、これらの画像信号にマイクロコンピュータ２５からの指示によってLCDパネル等の画像表示部１７用の出力、外部画像音声視聴装置５３用の出力にそれぞれGUI（graphical user interface）を重畳して出力するGUI生成重畳部１４、OSD（on screen display）生成重畳部１６を有するベースバンド信号処理部１０を備えている。
【００１９】
また、画像音声記録再生装置１は、音声の入力のための左右（Ｌ、Ｒ）のマイクロフォン１９と、アンプ２０Ｌ、２０Ｒと、Ａ／Ｄ変換部２１を有していて、ベースバンド信号処理部１０は、マイクロフォン１９からの音声入力や記録メディア４４からの再生信号、外部ストリームインターフェース４６からの入力信号のレベル調整を行うレベル調整部２２と、指向性を調整する指向性調整部２３と、風音低減などの信号処理を行うノイズ低減部２４を備えている。
【００２０】
また、画像音声記録再生装置１は、ベースバンド信号処理後のカメラ側の画像信号、記録メディアからの再生信号、外部ストリームからの入力画像、及びＧＵＩ等を表示する画像音声記録再生装置本体に搭載されているLCDパネル等の画像表示部１７と、ベースバンド信号処理後のカメラ側の音声信号、記録メディアからの再生信号、外部ストリームからの入力音声をＤ／Ａ変換部３７及びアンプ３８を介して出力する画像音声記録再生装置本体に搭載されているスピーカー３９とを備えている。以上の各部をもってカメラ部が構成されている。
【００２１】
また、画像音声記録再生装置１は、カメラ信号処理部９からの出力信号を記録メディアに記録するため、又は記録メディアに記録された信号を再生するため圧縮伸張を行う、あるいは外部から入力される、又は外部へ出力されるストリーム内の画像信号及び音声信号の圧縮伸張を行う符号量圧縮/伸張部４１，４２と、記録メディアに記録、記録メディアから再生又はストリーム伝送処理に適した形に変換するためエラー訂正処理等を行う記録・再生・伝送用処理部４３と、内蔵でも着脱可能でも構わない記録メディア部４４と、着脱可能な記録メディア部４５と、を備えている。
【００２２】
また、画像音声記録再生装置１は、ストリームの入出力処理を行う外部ストリームインターフェース部４６と、カメラ信号処理部９や伸張された画像データを画像音声視聴装置５３への適した画像フォーマットや色空間への変換を必要に応じて行う出力フォーマット変換部４７と、画像音声視聴装置５３への画像信号及び音声信号の伝送を行う画像信号インターフェース部４８及び音声信号インターフェース部４９と、を備えている。
【００２３】
また、画像音声記録再生装置１は、使用者の操作によって各部の制御のための入力操作を行うユーザーインターフェース２６と、画像音声視聴装置５３の個別識別情報を通信によって取得可能な画像音声視聴装置情報インターフェース部５１と、ネットワークサーバー等とのインターフェース部である通信手段５２と、マイクロコンピュータ２５により各部を制御するためのパラメータや通信によって取得した画像音声視聴装置の個別識別情報データ及び使用者の操作によって取得された情報を格納する不揮発性のメモリであるEEPROM（electrical erasable read only memory）５０と、ユーザーインターフェース２６からの操作情報に基づいて以上各部を自動的、あるいは固定的に制御するホストマイクロコンピュータ２５と、を備えて構成される。
このマイクロコンピュータ２５は時計機能を併せ持ち、記録、再生動作時の年月日、時刻を記憶し、利用可能である。
【００２４】
また、外部に接続される画像音声視聴装置５３は、自身のネットワーク上における個別識別情報を内部記憶する不揮発性のメモリである表示装置情報EEPROM５７を持ち、ここに格納された情報を、情報通信手段５２を通じて画像音声記録再生装置１に送信を行うための装置情報インターフェース部５６と、画像音声記録再生装置１からの画像信号の表示及び音声信号の出力のための受信を行う画像信号インターフェース部５４及び音声信号インターフェース部５５とを備えて構成される。なお、ここで、外部に接続される画像音声視聴装置５３は、画像と音声の両方を視聴できる装置であることを前提とする。
【００２５】
この画像音声視聴装置５３内部の装置情報EEPROM５７に記憶されている個別識別情報データは、メーカー名、製品ＩＤ（製品コード），シリアルナンバー、製造時期等の個体識別情報であって、これらの情報は、情報通信手段５２を通じて接続された画像音声記録再生装置１との通信により送信可能とされるものである。これらの個別識別情報データは、VESA(Video Electronics Standards Association)規格のEDID(Extended Display Identification Data)に準拠していることが望ましい。
【００２６】
このEDIDに含まれる個別識別情報データは、情報通信手段５２を介してHDMI（High Definition Multimedia Interface）により送信されるものである。ここで、画像音声記録再生装置１からの画像信号の表示及び音声信号の出力のための受信を行う画像信号インターフェース部５４及び音声信号インターフェース部５５は、TMDS（Transition Minimized Differential Signaling）チャネルを介して行うが、画像音声記録再生装置１へ個別識別情報データを送信する装置情報インターフェース部５６は、DDC（Display Data Channel）を介して行う。
【００２７】
以下、このように構成された画像音声記録再生装置１の接続される画像音声視聴装置５３毎のファイル選択のための統計情報の構築の動作を説明する。
最初に、画像音声記録再生装置１の接続相手の画像音声視聴装置５３の個別識別情報の記憶、再生時に伝送した画像、音声のファイルの再生履歴情報の記憶の方法について説明する。
まず、視聴しようとするユーザーは画像音声記録再生装置１を画像音声視聴装置５３に通信手段５２を介して接続する。
【００２８】
そして、この通信手段５２を通して、画像音声記録再生装置１は、画像音声視聴装置５３に対して画像、音声の再生または伝送を行うとともに、画像音声視聴装置５３からその個体識別情報の取得を行う。
次に、マイクロコンピュータ２５は、この特定の画像音声視聴装置５３に対して再生または伝送した画像、音声とその再生した履歴を関連付けて、取得した画像音声視聴装置５３の個体識別情報を不揮発性メモリ５０にテーブルとして記憶する。
【００２９】
図２は、マイクロコンピュータ２５の不揮発メモリ５０内の記憶テーブルの内容例を示したものである。
図２において、このテーブルの内容としては接続した相手の画像音声視聴装置６１の個体識別情報「A 社／機種名A ／シリアルNo.xxxxxx」６５、「B 社／機種名C ／シリアルNo.xxxxxx」６６、「C社／機種名D ／シリアルNo.xxxxxx」６７が記憶されている。
【００３０】
また、再生したファイル名６２として、個体識別情報「A 社／機種名A ／シリアルNo.xxxxxx」６５には運動会２００４、水泳大会A、Y入学式、友人T結婚式、テニス大会予選、沖縄旅行が記憶され、「B 社／機種名C ／シリアルNo.xxxxxx」６６には秋の演奏会２００３、秋の演奏会２００３が記憶され、「C社／機種名D ／シリアルNo.xxxxxx」６７には図示しないファイル名が記憶されている。
【００３１】
また、視聴日時・時刻６３として、ファイル名６２の運動会２００４は「２００４．１０．１０／１８：３０：４５」、「２００４．１０．１１／１０：２５：１０」、「２００４．１０．１３／１５：１２：０２」が日時の古い順に記憶され、水泳大会A は「２００３．９．１３／０８：１２：０６」、「２００３．９．１４／０９：１１：４３」、「２００３．９．１４／１５：０３：１０」が日時の古い順に記憶され、Y入学式は「２００３．８．２２／０３：５５：１７」が記憶され、友人T結婚式は「２００３．８．２４／１５：３３：００」、「２００３．９．１４／１４：５５：２０」が日時の古い順に記憶され、テニス大会予選は「２００４．４．２８／１５：３３：０１」が記憶され、沖縄旅行は「２００２．９．０２／１３：２２：０１」が記憶されている。
【００３２】
また、視聴日時・時刻６３として、ファイル名６２の秋の演奏会２００３は「２００４．１１．１０／１９：５６：０２」が記憶され、ファイル名６２の秋の演奏会２００３は「２００４．１１．１２／０９：１２：４５」が日時の古い順に記憶されている。
【００３３】
また、視聴した時刻６４として、ファイル名６２の運動会２００４は「１：３０」、「１：３０」、「１：３０」が日時の古い順に記憶され、水泳大会A は「１：２５」、「０：５５」、「０：３８」が日時の古い順に記憶され、Y入学式は「１：２５」が記憶され、友人T結婚式は「１：１４」、「１：００」が日時の古い順に記憶され、テニス大会予選は「３：０３」が記憶され、沖縄旅行は「１：４５」が記憶されている。
【００３４】
また、視聴した時刻６４として、ファイル名６２の秋の演奏会２００３は「２：１０」が記憶され、ファイル名６２の秋の演奏会２００３は「２：２０」が日時の古い順に記憶されている。
【００３５】
次に、再生履歴の取得処理で記憶した情報を基に接続相手の画像音声視聴装置５３に対してのコンテンツに優先順位をつけたファイルリストの表示を行う。
図３は、ファイル選択の優先順位をつける処理を示すフローチャートである。
まず、ある特定の画像音声視聴装置５３に接続して視聴する場合、マイクロコンピュータ２５は通信手段５２を介して画像音声視聴装置５３と接続し（ステップＳ１）、ステップＳ１で接続した画像音声視聴装置５３の個体識別情報を通信手段５２によって取得する（ステップＳ２）。
【００３６】
そして、接続履歴があるか否かを判断し（ステップＳ３）、ステップＳ３で接続履歴があるときは、マイクロコンピュータ２５は個体識別情報と一致する接続相手の画像音声視聴装置５３の再生履歴の情報を不揮発性メモリ５０から読み出し、再生履歴によって得られる接続情報及び再生ファイル情報から優先順位をつけるための統計情報を計算する。
【００３７】
以下、その優先順位をつけるための統計情報の例を示す。
次回の接続以降、ある特定の画像音声視聴装置５３に接続して画像、音声を視聴する場合、マイクロコンピュータ２５は接続した画像音声視聴装置５３の個体識別情報と一致する接続相手の画像音声視聴装置５３の再生履歴の接続情報及び再生ファイル情報を全件分不揮発性メモリ５０から読み出し（ステップＳ４）、再生履歴によって得られる情報を計算する。
【００３８】
この再生履歴から得られる情報としては、特定の画像音声視聴装置５３に対して特定の画像、音声のソース信号を再生して、伝送した日時、回数、頻度、累積時間等の統計的項目がある。
マイクロコンピュータ２５はこれらの統計情報を基にコンテンツを示すファイルに優先順位をつける。
【００３９】
優先順位のつけ方としては、最近のものから日時順に優先順位をつける方法、最も視聴した回数の多い順に優先順位をつける方法、ある期間内での頻度が高かった順に優先順位をつける方法、視聴時間の累計が多い順に優先順位をつける方法のような優先順位設定の考え方、手法が考えられる。あるいはこれらの優先順位を組み合わせて新たに優先順位を作成してもよい。
【００４０】
ここでは、まず、マイクロコンピュータ２５は再生回数順にファイルの並べ替えを行い（ステップＳ５）、次に、ステップＳ５で再生回数が同ランク（ほぼ同数）のファイルを再生頻度順にファイルの並べ替えを行う（ステップＳ６）。そして、マイクロコンピュータ２５はステップＳ６で再生頻度が同ランク（ほぼ同数）のファイルを再生累積時間順にファイルの並べ替えを行う（ステップＳ７）。
【００４１】
さらに、マイクロコンピュータ２５はステップＳ７で再生累積時間が同ランク（ほぼ同数）のファイルを再生日時順にファイルの並べ替えを行う（ステップＳ８）。これにより、優先順位が設定されたファイルリストが作成される。
【００４２】
なお、ステップＳ５〜ステップＳ８に示した優先順位が設定されたファイルリストにおけるコンテンツを示すファイル並べ替え処理の順番を入れ替えることによってどの統計項目が優先されるかの優先度を切り替えることができる。
【００４３】
さらに、ステップＳ３で対象の画像音声視聴装置に対しての再生履歴が無い場合は、マイクロコンピュータ２５はファイル情報の全件を読み込み（ステップＳ１０）、再生日時の新しい順に並べ替えて（ステップＳ１１）、優先順位が設定されたファイルリストが作成される。
【００４４】
そして、マイクロコンピュータ２５は優先順プレイリストを表示する（ステップＳ９）。
マイクロコンピュータ２５は、ステップＳ９の優先順ファイルリストを画像表示部１７や接続相手の画像音声視聴装置５３にＧＵＩ機能で表示する。
【００４５】
この処理によって接続相手の画像音声視聴装置に対して再生し、伝送した画像、音声の優先順位をつけて並べられた情報をマイクロコンピュータは優先順ファイルリストとして表示可能に出力する。
【００４６】
上述した優先順ファイルリストの表示例を図４に示す。
図４において、このリストでは優先順に並べられたファイルのファイル名７１、記録日時・時刻７２、記録時間７３、ファイルサイズ７４の各項目が色彩を変えた又は高輝度のハイライトで表示される。または矢印等でスクロール指定される表示も可能である。これをユーザーインターフェース２６によって上下左右に動かして選択する。
【００４７】
以上の動作により、接続相手となる画像音声視聴装置で視聴する人々、つまり共通の嗜好を持つ人々に関連性の高いコンテンツを効率的に選択することが可能になる。
これにより、ユーザーはこの優先順ファイルリストからファイル選択することにより過去に楽しんだ画像、音声を容易に再生することができる。同じ画像音声視聴装置に対して同じ画像、音声を異なる日時、異なる友人や知人と一緒に視聴するといった場面でも有効である。
【００４８】
上述した本実施の形態によれば、記憶した画像音声視聴装置毎のリストは本体のスイッチやＧＵＩ等のユーザーインターフェースでの操作により画像音声視聴装置に接続していないときでも本体のＬＣＤパネル等の画像表示装置や接続された外部画像表示装置で見ることが可能である。
【００４９】
また、この統計情報から得られる優先度は画像、音声を一緒に視聴した親戚、友人等に視聴したコンテンツのファイルを外部ストリームインターフェースを通してなんらかの記録メディアに複製して配布する際にも選択のガイドとして有用である。
【００５０】
この場合は対象期間で最も頻度が多かったというファイルの優先度を上げるのが好ましいと考えられる。この場合の優先順位を決めるフローチャートを図５に示す。
図５は、他のファイル選択の優先順位をつける処理を示すフローチャートである。
まず、ある特定の画像音声視聴装置５３に接続して視聴する場合、マイクロコンピュータ２５は通信手段５２を介して画像音声視聴装置５３と接続し（ステップＳ２１）、ステップＳ２１で接続した画像音声視聴装置５３の個体識別情報を通信手段５２によって取得する（ステップＳ２２）。
【００５１】
そして、接続履歴があるか否かを判断し（ステップＳ２３）、ステップＳ２３で接続履歴があるときは、マイクロコンピュータ２５は個体識別情報と一致する接続相手の画像音声視聴装置５３の再生履歴の情報を不揮発性メモリ５０から読み出し、再生履歴によって得られる接続情報及び再生ファイル情報から優先順位をつけるための統計情報を計算する。
【００５２】
次回の接続以降、ある特定の画像音声視聴装置５３に接続して画像、音声を視聴する場合、マイクロコンピュータ２５は接続した画像音声視聴装置５３の個体識別情報と一致する接続相手の画像音声視聴装置５３の再生履歴の接続情報及び再生ファイル情報を全件分不揮発性メモリ５０から読み出し（ステップＳ２４）、再生履歴によって得られる情報を計算する。
【００５３】
ここでは、まず、マイクロコンピュータ２５は再生頻度順にファイルの並べ替えを行い（ステップＳ２５）、次に、ステップＳ２５で再生頻度が同ランク（ほぼ同数）のファイルを再生回数順にファイルの並べ替えを行う（ステップＳ２６）。そして、マイクロコンピュータ２５はステップＳ２６で再生回数が同ランク（ほぼ同数）のファイルを再生累積時間順にファイルの並べ替えを行う（ステップＳ２７）。
【００５４】
さらに、マイクロコンピュータ２５はステップＳ２７で再生累積時間が同ランク（ほぼ同数）のファイルを再生日時順にファイルの並べ替えを行う（ステップＳ２８）。これにより、優先順位が設定されたファイルリストが作成される。
【００５５】
なお、ステップＳ２５〜ステップＳ２８に示した優先順位が設定されたファイルリストにおけるコンテンツを示すファイル並べ替え処理の順番を入れ替えることによってどの統計項目が優先されるかの優先度を切り替えることができる。
【００５６】
さらに、ステップＳ２３で対象の画像音声視聴装置に対しての再生履歴が無い場合は、マイクロコンピュータ２５はファイル情報の全件を読み込み（ステップＳ３０）、再生日時の新しい順に並べ替えて（ステップＳ３１）、優先順位が設定されたファイルリストが作成される。
そして、マイクロコンピュータ２５は優先順プレイリストを表示する（ステップＳ２９）。
【００５７】
ここで、上述した本実施の形態の具体的な適用例を以下に説明する。
従来からテレビ、ディスプレイ、プロジェクター等の画像音声視聴装置は高画質テレビ受像機ＨＤＴＶ対応等の高画質化、大画面化が進んでいる。これらの画像表示装置は大型であるため個人的な使用の中では家庭内では設置場所は固定的であり、視聴する人も家族や友人、知人といったある程度の範囲に限定されることが多いものであった。また、家庭内以外での環境での画像音声視聴装置の設置においても場所は固定的であった。
【００５８】
またカメラ一体型記録再生装置、デジタルカメラ等の撮影・記録再生装置は小型化、高画質化が進み、持ち運び容易で、ユーザーが撮影・記録や撮影した画像、音声の再生を機器自体で行えるようになっている。このカメラ一体型記録再生装置、デジタルカメラ等の撮影・記録再生装置を自宅、友人宅、知人宅等の場所に持ち運び、高画質、音質での視聴が可能となってきているが、そこでの画像音声視聴装置に接続して視聴を行う際には、視聴される画像、音声には使用者本人、家族、友人、知人内での共通の嗜好が現れる。また、家庭内以外においても特定の設置場所で見る画像、音声信号ソースにはその場所で見るのに適したコンテンツが選択されることが多いものであった。
【００５９】
そこで、このような場合に上述した本実施の形態を適用すれば、特定の画像音声視聴装置との接続した履歴と過去に視聴した画像、音声ファイルの再生履歴情報をカメラ一体型記録再生装置、デジタルカメラ等の画像音声視聴装置に記憶しておき、再生履歴情報から得られる統計的な情報から優先順ファイルリストを表示出力することにより、容易にファイル選択を行えるようにすることができる。
【００６０】
上述した本実施の形態に限らず、本発明の特許請求の範囲内であれば、適宜、その構成を変更しうることはいうまでもない。
【図面の簡単な説明】
【００６１】
【図１】本発明の実施の形態例を示すシステム構成図である。
【図２】記憶テーブルの内容例を示す図である。
【図３】ファイル選択の優先順位をつける処理を示すフローチャートである。
【図４】ファイルリスト表示の例を示す図である。
【図５】他のファイル選択の優先順位をつける処理を示すフローチャートである。
【符号の説明】
【００６２】
１…画像音声記録再生装置、２…光学系、３…ズームレンズ、４…フォーカスレンズ、５…アイリス、６…イメージセンサー、７…アナログフロントエンド部、８…Ａ／Ｄコンバータ部、９…カメラ信号処理部、１０…ベースバンド信号処理部、１３，１５…画素数変換部、１４…GUI生成重畳部、１６…OSD生成重畳部、１７…画像表示部、１９…マイクロフォン、２０Ｌ、２０Ｒ…アンプ、２１…Ａ／Ｄ変換部、２２…レベル調整部、２３…指向性調整部、２４…ノイズ低減部、２５…マイクロコンピュータ、２６…ユーザーインターフェース、１９，２８，２９，３０…光学系ドライバ・アクチュエータ、３１…タイミング発生器、３２…同期信号、３３…ドライバー、４１，４２…符号量圧縮/伸張部、４４…記録メディア、４５…記録メディア、４６…外部ストリームインターフェース、４７…出力フォーマット変換部、４８…画像信号インターフェース部、４９…音声信号インターフェース部、５０…不揮発性メモリ、５１…画像音声視聴装置情報インターフェース部、５２…通信手段、５３…外部画像音声視聴装置、５４…画像信号インターフェース部、５５…音声信号インターフェース部、５６…装置情報インターフェース部、５７…装置情報EEPROM
【図１】
2007060017.tif 000003
【図２】
2007060017.tif 000004
【図３】
2007060017.tif 000005
【図４】
2007060017.tif 000006
【図５】
2007060017.tif 000007